(57)【特許請求の範囲】
【請求項１】
ＯＦＤＭ方式のデジタル放送を受信するデジタル放送受信装置であって、
ＯＦＤＭフレーム同期確立前から、受信信号からパイロット信号の位置を検出するパイロット検出部と、
ＯＦＤＭフレーム同期確立前から、前記パイロット検出部で検出された前記パイロット信号の位置に基づき前記受信信号を復調する復調部と、
ＯＦＤＭフレーム同期確立前から、前記復調部で復調された信号にデインタリーブ処理を行うデインタリーブ部と、
前記デインタリーブ部から出力された信号に対し、その信号のＯＦＤＭシンボルヘッダ毎に同期を取り、その同期に基づきその信号からＴＳパケットを再生するＴＳ再生部と、
前記ＴＳ再生部から出力されたＴＳパケットに対し、そのＴＳパケットのＯＦＤＭシンボルヘッダ毎に同期を取り、その同期に基づきそのＴＳパケットに誤り訂正処理を行う誤り訂正部とを備え、
前記デインタリーブ部は、前記誤り訂正部の誤り訂正処理の結果に基づき、その出力した信号のＯＦＤＭフレームヘッダの位置を特定し、
前記ＴＳ再生部は、前記デインタリーブ部がＯＦＤＭフレームヘッダの位置を特定すると、ＯＦＤＭシンボルヘッダ毎の同期からその特定されたＯＦＤＭフレームヘッダ毎の同期に変更し、その変更した同期に基づき上記のＴＳパケットの再生を行い、
前記誤り訂正部は、前記デインタリーブ部がＯＦＤＭフレームヘッダの位置を特定すると、ＯＦＤＭシンボルヘッダ毎の同期からその特定されたＯＦＤＭフレームヘッダ毎の同期に変更し、その変更した同期に基づき上記のＴＳパケットの誤り訂正処理を行うことを特徴とするデジタル放送受信装置。
【請求項２】
前記デインタリーブ部は、その出力した信号のＯＦＤＭフレームヘッダの位置を特定すると、そのデインタリーブ処理した信号におけるその特定したＯＦＤＭフレームヘッダの位置にＯＦＤＭフレームヘッダ情報を付加してその信号を出力し、
前記ＴＳ再生部は、前記デインタリーブ部からの信号に対して前記ＯＦＤＭフレームヘッダ情報の検出を行い、そのＯＦＤＭフレームヘッダ情報を検出した位置で同期を取ることを特徴とする請求項１に記載のデジタル放送受信装置。
【請求項３】
前記ＴＳ再生部は、その再生したＴＳパケットにおける前記デインタリーブ部が特定したＯＦＤＭフレームヘッダの位置にＯＦＤＭフレームヘッダ情報を付加して、その再生したＴＳパケットを出力し、
前記誤り訂正部は、前記ＴＳ再生部からのＴＳパケットに対して前記ＯＦＤＭフレームヘッダ情報の検出を行い、そのＯＦＤＭフレームヘッダ情報を検出した位置で同期を取ることを特徴とする請求項２に記載のデジタル放送受信装置。
【発明の詳細な説明】
【技術分野】
【０００１】
本発明は、ＯＦＤＭ方式のデジタル放送を受信するデジタル放送受信装置に関するものである。
【背景技術】
【０００２】
日本の地上デジタル放送ＩＳＤＢ−Ｔ（サービス統合地上デジタル放送）では、ＭＰＥＧ−２システムで規定されたトランスポートストリーム（以後、ＴＳと呼ぶ）のデータの複数個のグループをデータセグメントとし、そのデータセグメントにパイロット信号とＴＭＣＣ（Transmission and Multiplexing Configuration Control）信号等とを付加してなるＯＦＤＭセグメントを、複数組み合わせて、ＯＦＤＭシンボルおよびＯＦＤＭフレームを構成して、送信を行う。
【０００３】
受信装置は、受信信号を復調し、ＴＭＣＣ信号中の同期信号を用いてＯＦＤＭフレームの同期を確立した後、ＯＦＤＭフレームからＴＭＣＣ信号およびＴＳを分離し、復号したＴＭＣＣ信号中のＴＭＣＣ情報に基づきＴＳパケットの再生を行う。即ち、ＯＦＤＭフレームの同期を確立するまではＴＳパケットの再生を開始でない。そのため、放送チャンネルを変更したとき、その変更時からＴＳパケットの再生までに時間が掛かるという問題があった。
【０００４】
特許文献１では、ＴＭＣＣ信号に含まれる制御情報の復号を早期に実施するための方法が提示されている。
【０００５】
また特許文献２では、ＯＦＤＭフレームの同期確立およびＴＳパケットの再生を早期に実施するための方法が開示されている。
【０００６】
【特許文献１】特開２００１−１１１５１５号公報
【特許文献２】特開２００２−８４２５５号公報
【発明の開示】
【発明が解決しようとする課題】
【０００７】
従来の受信装置は、前述の様に、ＯＦＤＭフレームの同期確立後にＴＳパケットの再生を実施するので、放送チャンネルの変更時からＴＳパケットの再生までに時間が掛かるという問題がある。
【０００８】
具体的には、ＯＦＤＭフレーム同期信号は、ＯＦＤＭフレームの先頭で１回のみ送信される。そして、ＯＦＤＭフレームの同期確立は、通常、ＯＦＤＭフレーム同期信号を複数回（例えば２回）連続して検出することで行われる。このため、ＯＦＤＭフレームの同期を確立するには、最低でも１個のＯＦＤＭフレームの受信が必要となる。実際には、受信開始がＯＦＤＭフレームの先頭であるとは限らないので、ＯＦＤＭフレームの同期が確立するまでに、最低でも２個のＯＦＤＭフレームの受信が必要である。
【０００９】
地上デジタル放送の１個のＯＦＤＭフレームは、現在放送が実施されているＭＯＤＥ３の伝送方式で、約２３１ｍｓｅｃとなっている。ＯＦＤＭフレームの同期が確立するまでに２個のＯＦＤＭフレームが必要であるとすると、約４６２ｍｓｅｃとなる。
【００１０】
特許文献１の方法では、ＯＦＤＭフレームの同期が確立するまでに、ＴＭＣＣ信号を復号する事ができ、ＯＦＤＭフレームの同期確立前にＴＳパケットの再生を開始する事ができる。
【００１１】
また特許文献１の方法では、ＯＦＤＭフレームの同期確立前には、分割ＴＭＣＣパケットを受信する毎に、受信した各分割ＴＭＣＣパケットの順番をシフトしながらＯＦＤＭフレームの先頭をサーチする方法が提示されている。この方法を用いれば、受信した分割ＴＭＣＣパケットがＯＦＤＭフレーム中のどのＯＦＤＭシンボル位置にあるかをＯＦＤＭフレーム同期の確立前に正確に知ることが可能になる。
【００１２】
特許文献２の方法では、地上デジタル放送のＭＯＤＥ３において、１個のＯＦＤＭフレーム中の０シンボル目、５１シンボル目、１０２シンボル目、１５３シンボル目でＴＳパケットの再生が可能となる。特許文献１の方法と組み合わせると、０シンボル目、５１シンボル目、１０２シンボル目、１５３シンボル目の何れかで、ＯＦＤＭフレームの同期を確立でき且つＴＳパケットの再生を開始できる。
【００１３】
しかし、地上デジタル放送では、畳み込みインタリーブである時間インタリーブ方式が採用されており、受信装置では、復調処理とＴＳ再生処理との間で時間デインタリーブ処理が行われる。この時間デインタリーブ処理では、約１ＯＦＤＭフレーム分の時間が必要であるため、特許文献１，２の方法を用いても、放送チャンネルの変更時からＴＳパケットの再生までに、最長では約３個のＯＦＤＭフレームの受信が必要になる。
【００１４】
本発明は、上述した課題を解決するためになされたものであり、放送チャンネルの変更時からＴＳパケットの再生（従って映像音声の出力開始）までの時間を短縮できるデジタル放送受信装置を提供することを目的とする。
【課題を解決するための手段】
【００１５】
上記課題を解決する為に、本発明の第１の形態は、ＯＦＤＭ方式のデジタル放送を受信するデジタル放送受信装置であって、ＯＦＤＭフレーム同期確立前から、受信信号からパイロット信号の位置を検出するパイロット検出部と、ＯＦＤＭフレーム同期確立前から、前記パイロット検出部で検出された前記パイロット信号の位置に基づき前記受信信号を復調する復調部と、ＯＦＤＭフレーム同期確立前から、前記復調部で復調された信号にデインタリーブ処理を行うデインタリーブ部と、前記デインタリーブ部から出力された信号に対し、その信号のＯＦＤＭシンボルヘッダ毎に同期を取り、その同期に基づきその信号からＴＳパケットを再生するＴＳ再生部と、前記ＴＳ再生部から出力されたＴＳパケットに対し、そのＴＳパケットのＯＦＤＭシンボルヘッダ毎に同期を取り、その同期に基づきそのＴＳパケットに誤り訂正処理を行う誤り訂正部とを備え、前記デインタリーブ部は、前記誤り訂正部の誤り訂正処理の結果に基づき、その出力した信号のＯＦＤＭフレームヘッダの位置を特定し、前記ＴＳ再生部は、前記デインタリーブ部がＯＦＤＭフレームヘッダの位置を特定すると、ＯＦＤＭシンボルヘッダ毎の同期からその特定されたＯＦＤＭフレームヘッダ毎の同期に変更し、その変更した同期に基づき上記のＴＳパケットの再生を行い、前記誤り訂正部は、前記デインタリーブ部がＯＦＤＭフレームヘッダの位置を特定すると、ＯＦＤＭシンボルヘッダ毎の同期からその特定されたＯＦＤＭフレームヘッダ毎の同期に変更し、その変更した同期に基づき上記のＴＳパケットの誤り訂正処理を行うものである。
【発明の効果】
【００１６】
本発明の第１の形態によれば、ＯＦＤＭフレーム同期確立前からデインタリーブ処理を行うので、従来の場合（ＯＦＤＭフレーム同期確立以降にデインタリーブ処理を行う場合）よりも早い時点でデインタリーブ処理を済ます事ができ、これにより放送チャンネルの変更時から映像音声の出力開始までの時間を従来の場合よりも短縮できる。また、ＯＦＤＭフレーム同期確立前からＴＳ再生部のＴＳ再生処理および誤り訂正部の誤り訂正処理を行う事ができ、これにより放送チャンネルの変更時から映像音声の出力開始までの時間を従来の場合よりも一層短縮できる。
【発明を実施するための最良の形態】
【００１７】
実施の形態１．
この実施の形態に係るデジタル放送受信装置１０は、ＯＦＤＭ方式のデジタル放送を受信するものであり、図１の様に、ＦＦＴ部１と、パイロット検出部２と、復調部３と、デインタリーブ部４と、ＴＳ再生部５と、誤り訂正部６と、同期確立部７と、ＴＭＣＣ復号部８と、ＴＭＣＣ初期部９とを備えている。
【００１８】
ＯＦＤＭ方式の送信信号は、例えば図２の様に、映像信号および音声信号のためのＴＳに、ＣＰ（Continual Pilot）およびＳＰ（Scattered Pilot）のパイロット信号と、ＴＭＣＣ信号と、ＡＣ１（Auxiliary Chanel1）およびＡＣ２の付加情報信号とを付加して構成されている。この送信信号は、複数のキャリアを用いて直交周波数分割多重（ＯＦＤＭ）されると共に、ＯＦＤＭシンボル単位で時分割されて複数のＯＦＤＭシンボルで１個のＯＦＤＭフレームが構成されている。
【００１９】
尚、図２のＳｉｊは、ＯＦＤＭシンボル番号ｉ，キャリア番号ｊのデータセグメントであり、これら各ＳｉｊにＴＳのデータが配置されている。
【００２０】
ＦＦＴ部１は、受信された各放送チャンネルのＯＦＤＭ変調信号（受信信号）Ｓ１に対して高速フーリエ変換（ＦＦＴ）処理を実施する。尚、受信されたＯＦＤＭ変調信号からは、別途の回路（図示省略）によりキャリアおよびクロックが再生されている。
【００２１】
パイロット検出部２は、ＦＦＴ部１で処理された信号Ｓ２からパイロット信号（例えばＳＰ）の位置を検出する。パイロット信号は、信号Ｓ２に一定キャリア間隔で挿入されているため、信号Ｓ２の相関を検査することで、簡単にパイロット信号の位置を検出することが可能である。例えばＳＰの場合は、図２の様に、各ＯＦＤＭシンボルにおいて１２キャリア間隔で挿入されており、その挿入の配置は、ＯＦＤＭシンボル番号により異なっており、全部で下記の４種類の配置パターン０〜３がある。
【００２２】
パターン０：０，１２，２４・・・キャリア
パターン１：３，１５，２７・・・キャリア
パターン２：６，１８，３０・・・キャリア
パターン３：９，２１，３３・・・キャリア
ＳＰは電力値が高いので、シンボル内で上記各パターン０〜３のキャリアの電力値を積和すると、実際にパイロット信号が配置されていたパターンの積和結果は、その他のパターンでの積和結果と比較し、値が大きく突出する。これを用いて、ＳＰの位置を検出する。具体的には、上記各パターン０〜３に示すキャリア位置において、キャリアの電力値を算出し、算出した電力値をパターン毎に１シンボル期間積和する。１シンボルを受信終了した時点で、上記４パターンの各々の積和結果の値の大小を比較し、何れかのパターンで電力値が最大になったか、即ち何れのパターンにパイロット信号があったかを検出する。
【００２３】
尚、従来では、パイロット信号の位置の検出は、ＯＦＤＭフレームの同期が確立してパイロット信号の配置が確定した後に行われるが、この実施の形態では、前述の様に、信号Ｓ２の相関に基づくことで、ＯＦＤＭフレームの同期確立前から行われる。
【００２４】
復調部３は、パイロット検出部２で検出されたパイロット信号の配置の情報Ｔ１と、ＴＭＣＣ初期部９からのＴＭＣＣ情報Ｕ１またはＴＭＣＣ復号部８からのＴＭＣＣ情報Ｕ２とに基づき、ＦＦＴ部１で処理された信号Ｓ２に対して、復調処理を実施する。
【００２５】
より詳細には、復調部３は、後述の様にＴＭＣＣ復号部８により信号Ｓ２からＴＭＣＣ情報Ｕ２が抽出されるまでの期間は、ＴＭＣＣ初期部９からのＴＭＣＣ情報Ｕ１に基づき上記の復調処理を実施し、ＴＭＣＣ復号部８により信号Ｓ２からＴＭＣＣ情報Ｕ２が抽出されると、ＴＭＣＣ復号部８からのＴＭＣＣ情報Ｕ２に基づき上記の復調処理を実施する。
【００２６】
デインタリーブ部４は、ＴＭＣＣ初期部９からのＴＭＣＣ情報Ｕ１またはＴＭＣＣ復号部８からのＴＭＣＣ情報Ｕ２と、同期確立部７からのフレーム同期信号Ｖ１およびフレーム同期確立信号Ｖ２とに基づき、復調部３で処理された信号Ｓ２に対して、デインタリーブ処理（例えば周波数デインタリーブ処理および時間デインタリーブ処理）を実施する。
【００２７】
尚、送信側では、移動受信性能および耐マルチパス性能を確保するためのインタリーブ処理（例えば時間インタリーブ処理および周波数インタリーブ処理）が実施される。時間インタリーブ処理には、畳み込みインタリーブ処理が採用される。インタリーブ長は、例えばＭＯＤＥ３の伝送方式の場合は、０，１，２，４の何れかの値に設定可能である。受信側（デインタリーブ部４）では、送信側で実施されたインタリーブ処理を元に戻す処理が実施される。
【００２８】
より詳細には、デインタリーブ部４は、後述の様にＴＭＣＣ復号部８により信号Ｓ２からＴＭＣＣ情報Ｕ２が抽出されるまでの期間（即ちＯＦＤＭフレームの同期確立前）は、ＴＭＣＣ初期部９からのＴＭＣＣ情報Ｕ１に基づき上記のデインタリーブ処理を実施し、ＴＭＣＣ復号部８により信号Ｓ２からＴＭＣＣ情報Ｕ２が抽出されると（即ちＯＦＤＭフレームの同期確立後は）、ＴＭＣＣ復号部８からのＴＭＣＣ情報Ｕ２に基づき上記のデインタリーブ処理を実施する。そしてデインタリーブ部４は、同期確立部７からのフレーム同期確立信号Ｖ２が入力されると、デインタリーブ処理した信号Ｓ４をＴＳ再生部Ｓ５に出力する。
【００２９】
デインタリーブ部４では、復調部３からの信号Ｓ３の入力からデインタリーブ処理後の信号Ｓ４の出力までに、インタリーブ長に基づいた遅延が発生する。インタリーブ長は、時間デインタリーブ処理内のディレイラインの容量を定めるもので、このディレイラインを経て信号Ｓ４が出力されるまでの時間が、時間デインタリーブ処理における遅延時間となる。例えば、この遅延時間は、ＭＯＤＥ３の伝送方式でインタリーブ長が０，１，２，３，４の各々の場合で下記の様になる。
【００３０】
ＭＯＤＥ３、インタリーブ長が０の場合
遅延時間＝なし
ＭＯＤＥ３、インタリーブ長が１の場合
遅延時間＝９６＊ＯＦＤＭシンボル
ＭＯＤＥ３、インタリーブ長が２の場合
遅延時間＝９６＊２＊ＯＦＤＭシンボル＝１９２＊ＯＦＤＭシンボル
ＭＯＤＥ３、インタリーブ長が４の場合
遅延時間＝９６＊４＊ＯＦＤＭシンボル＝３８４＊ＯＦＤＭシンボル
実際に運用されている放送では、ＭＯＤＥ３、インタリーブ長＝２であるため、１９２＊ＯＦＤＭシンボル＝約２１８ｍｓｅｃの遅延が発生することになる。
【００３１】
尚、この実施の形態では、デインタリーブ部４では、ＯＦＤＭフレームの同期確立前からデインタリーブ処理を行うので、ＯＦＤＭフレームの同期確立時点では、上記の遅延時間以上の期間分の信号Ｓ４が蓄積される。そしてこの蓄積により、ＯＦＤＭフレームの同期確立後に速やかに信号Ｓ４をＴＳ再生部５に出力でき、即時にＴＳ再生部５にＴＳパケットの再生させる事ができる。
【００３２】
ＴＳ再生部５は、ＴＭＣＣ復号部８からの後述のＴＭＣＣ情報Ｕ２と、同期確立部７からのフレーム同期信号Ｖ１とに基づき、デインタリーブ部５で処理された信号Ｓ４からＴＳパケットを再生（組み立てる）する。
【００３３】
誤り訂正部６は、ＴＳ再生部６で再生されたＴＳパケットＳ５に対し、ＴＳパケット毎に誤り訂正処理を実施し、その処理の結果、誤りの無かったＴＳパケットを誤り無しＴＳパケットＳ６として出力する。そしてこの誤り無しＴＳパケットＳ６は、後段の処理部で音声画像再生される。
【００３４】
同期確立部７は、ＦＦＴ処理１で処理された信号Ｓ２からフレーム同期信号Ｖ１を検出してそのフレーム同期信号Ｖ１を各部３，４，５，６に出力する。そして同期確立部７は、その検出したフレーム同期信号に基づきＯＦＤＭフレームの同期を確立すると、フレーム同期確立信号Ｖ２をデインタリーブ部４に出力する。
【００３５】
ＴＭＣＣ復号部８は、同期確立部７で検出されたフレーム同期信号Ｖ１に基づき、ＦＦＴ処理１で処理された信号Ｓ２からＴＭＣＣ信号を分離して、そのＴＭＣＣ信号を復調および復号してＴＭＣＣ情報Ｕ２を抽出する。
【００３６】
ＴＭＣＣ初期部９は、各放送チャンネルの選局時にＴＭＣＣ復号部８により抽出されたＴＭＣＣ情報Ｕ２を保存しておき、再び同じ放送チャンネルが選局された際に、ＴＭＣＣ復号部８により信号Ｓ２からＴＭＣＣ情報Ｕ１が抽出されるまでの期間、上記の保存したＴＭＣＣ情報Ｕ２の中から同じ放送チャンネルのＴＭＣＣ情報Ｕ２をＴＭＣＣ情報Ｕ１として各部３，４に出力する。
【００３７】
次にこのデジタル放送受信装置１０の動作を説明する。
【００３８】
ＦＦＴ部１で受信信号Ｓ１がＦＦＴ処理されると、その処理後の信号Ｓ２がパイロット検出部２、同期確立部７およびＴＭＣＣ複号部８に出力される。
【００３９】
そしてパイロット検出部３では、ＯＦＤＭフレームの同期確立前から、ＦＦＴ部１からの信号Ｓ２から、その信号Ｓ２の相関に基づきパイロット信号の位置が検出され、その信号Ｓ２と共にそのパイロット信号の位置の情報Ｔ１が復調部３に出力される。これに並行して、ＴＭＣＣ初期部９から復調部３およびデインタリーブ部４にＴＭＣＣ情報Ｕ２が出力される。
【００４０】
そして復調部３では、ＯＦＤＭフレームの同期確立前から、パイロット検出部２からの信号Ｓ２に対し、パイロット検出部２からのパイロット信号の位置の情報Ｔ１とＴＭＣＣ初期部９からのＴＭＣＣ情報Ｕ１とに基づき復調処理が行われ、その処理後の信号Ｓ３がデインタリーブ部３に出力される。そしてデインタリーブ部３では、ＯＦＤＭフレームの同期確立前から、復調部３からの信号Ｓ３に対し、ＴＭＣＣ初期部９からのＴＭＣＣ情報Ｕ１に基づきデインターリブ処理が実施され、その処理後の信号Ｓ４が蓄積される。
【００４１】
他方、同期確立部７では、ＦＦＴ部１からの信号Ｓ２からフレーム同期信号Ｖ１の検出が行われ、フレーム同期信号Ｖ１が検出されると、そのフレーム同期信号Ｖ１が各部４，５，６，８に出力される。また同期確立部７では、フレーム同期が確立されると、フレーム同期確立信号Ｖ２が各部４，８に出力される。
【００４２】
他方、ＴＭＣＣ複号部８では、同期確立部７からのフレーム同期信号Ｖ１およびフレーム同期確立信号Ｖ２に基づき、ＦＦＴ部１からの信号Ｓ２からＴＭＣＣ信号が分離され、そのＴＭＣＣ信号が復調および復号され、そのＴＭＣＣ信号からＴＭＣＣ情報Ｕ２が抽出され、そのＴＭＣＣ情報Ｕ２が各部３，４，５，６，９に出力される。
【００４３】
そしてＴＭＣＣ初期部９では、ＴＭＣＣ複号部８からのＴＭＣＣ情報Ｕ２が入力されると、そのＴＭＣＣ情報Ｕ２が保存される。また復調部３では、ＴＭＣＣ複号部８からのＴＭＣＣ情報Ｕ２が入力されると、ＴＭＣＣ初期部９からのＴＭＣＣ情報Ｕ１に代えて、ＴＭＣＣ複号部８からの当該ＴＭＣＣ情報Ｕ２に基づき復調処理を続行する。またデインタリーブ部４では、ＴＭＣＣ複号部８からのＴＭＣＣ情報Ｕ２が入力されると、ＴＭＣＣ初期部９からのＴＭＣＣ情報Ｕ１に代えて、ＴＭＣＣ複号部８からの当該ＴＭＣＣ情報Ｕ２に基づきデインタリーブ処理を続行する。
【００４４】
そしてデインタリーブ部４では、同期確立部７からのフレーム同期確立信号Ｖ２が入力されると、デインタリーブ処理された信号Ｓ４がＴＳ再生部５に出力される。
【００４５】
そしてＴＳ再生部５では、ＴＭＣＣ復号部８からのＴＭＣＣ情報Ｕ２および同期確立部７からのフレーム同期信号Ｖ１に基づき、デインタリーブ部４からの信号Ｓ４からＴＳが分離されてＴＳパケットＳ５が再生され、そのＴＳパケットＳ５が誤り訂正部６に出力される。そして誤り訂正部６で、そのＴＳパケットＳ５に誤り訂正処理が実施されて、誤り訂正部６から、誤り無しのＴＳパケットＳ６が出力される。そしてそのＴＳパケットＳ６は、後段の処理部で音声映像再生される。
【００４６】
この様に、このデジタル放送受信装置１０では、パイロット検出部２において、信号Ｓ２の相関に基づくことで、ＯＦＤＭフレームの同期確立前から、信号Ｓ２からパイロット信号の位置を検出する。そしてＯＦＤＭフレームの同期確立前から、順に復調部３およびデインタリーブ部４の各々の処理を開始し、ＯＦＤＭフレームの同期確立と同時にＴＳ再生部５の処理を開始する。これにより放送チャンネルの変更後、従来よりも早期に、ＴＳ再生部５でのＴＳパケットの再生が開始される（従って従来よりも早期に音声画像が出力される）。
【００４７】
この実施の形態では、例えば図３の様に、ＯＦＤＭフレームの同期確立と同時にＴＳ再生部４でのＴＳパケットの再生が開始されるので、同期確立部７でのフレーム同期信号の検出開始から誤り訂正部６での誤り無しのＴＳパケットの出力開始までの期間は、最短で１ＯＦＤＭフレーム分となり、最長でも２ＯＦＤＭフレーム分となる。
【００４８】
これに対し、従来技術では、ＯＦＤＭフレームの同期確立後に、順にパイロット検出部２、復調部３、デインタリーブ部４、ＴＳ再生部５および誤り訂正部６の各々の処理が開始されるので、図４の様に、同期確立部７でのフレーム同期信号の検出開始から誤り訂正部６の誤り無しのＴＳパケットの出力開始までの期間は、最短でも約２ＯＦＤＭフレーム分となり、最長では約３ＯＦＤＭフレーム分となる。
【００４９】
この事から、この実施の形態の方が従来技術よりも、同期確立部７でのフレーム同期信号の検出開始から誤り訂正部６での誤り無しのＴＳパケットの出力開始までの期間（従って放送チャンネルの変更時から音声映像の出力開始までの時間）が短縮される事が分かる。
【００５０】
以上の様に構成されたデジタル放送受信装置１０よれば、ＯＦＤＭフレーム同期確立前からデインタリーブ部４でデインタリーブ処理を行うので、従来の場合（ＯＦＤＭフレーム同期確立以降にデインタリーブ処理を行う場合）よりも早い時点でデインタリーブ処理を済ます事ができ、これにより放送チャンネルの変更時から映像音声の出力開始までの時間を従来の場合よりも短縮できる。
【００５１】
またデインタリーブ部４は、同期確立部７でＯＦＤＭフレーム同期が確立されると、そのデインタリーブ処理した信号Ｓ４を出力するので、ＯＦＤＭフレーム同期確立と同時に次の処理（ＴＳ再生部５のＴＳパケットの再生）に移る事ができ、これにより放送チャンネルの変更時から映像音声の出力開始までの時間を従来の場合よりも短縮できる。
【００５２】
尚、この実施の形態において、更に、特許文献２の様に、ＭＯＤＥ３の伝送方式の場合にＯＦＤＭフレームの同期の位置を、０シンボル目の位置だけでなく、５１、１０２、１５３シンボル目とし、誤り訂正部６のランダマイザの初期値を変更すれば、誤り訂正部７からのＴＳパケットＳ６の出力までの時間を更に短縮できる。
【００５３】
実施の形態２．
この実施の形態に係るデジタル放送受信装置１０Ｂ（図５）は、実施の形態１の変形例である。以下、実施の形態１と異なる部分のみ説明する。
【００５４】
この実施の形態では、デインタリーブ部４は、デインタリーブ処理した信号Ｓ４を、ＯＦＤＭフレームの同期確立を待たずに速やかに出力する。
【００５５】
地上デジタル放送規格で定められた方式によれば、誤り訂正部６内のデランダマイザは、ＯＦＤＭフレームヘッダ毎に初期化される。またＴＳ再生部５でのＴＳパケットの再生（以後、ＴＳ再生と呼ぶ）は、ＯＦＤＭフレームヘッダ毎に初期化される。そのため、ＯＦＤＭフレームの同期が確立しなければ、ＴＳ再生部５でのＴＳ再生処理および誤り訂正部６での誤り訂正処理は、正しく実施されない。そのため、通常は、実施の形態１の様に、ＯＦＤＭフレームの同期が確立するまでは、デインタリーブ部４から信号Ｓ４は出力されない。
【００５６】
この実施の形態では、ＯＦＤＭフレーム同期確立前にデインタリーブ部４から信号Ｓ４を出力するので、ＯＦＤＭフレームヘッダの位置が特定できない（即ちＯＦＤＭフレーム同期が取れない）。そのため、ＴＳ再生部５のＴＳ再生の初期化および誤り訂正部６内のデランダマイザの初期化を正しく行えない。
【００５７】
これを解決するために、誤り訂正部６では、ＯＦＤＭフレーム同期が確立するまでは、ＯＦＤＭシンボルヘッダ毎にデランダマイザを初期化して誤り訂正処理を実施する。そしてデインタリーブ部４では、誤り訂正部６の誤り訂正処理の結果に基づき、その出力した信号Ｓ４のＯＦＤＭフレームヘッダの位置を特定し、その特定したＯＦＤＭフレームヘッダの位置に基づき、ＴＳ再生部５および誤り訂正部６において初期化を行わせる。
【００５８】
より詳細には、ＴＳ再生部４は、ＯＦＤＭ同期確立前にデインタリーブ部４から信号Ｓ４が出力されると、その信号Ｓ４のＯＦＭＤシンボルヘッダ毎に同期を取りその同期に基づきＴＳ再生の初期化を行いつつ、その信号Ｓ４からＴＳパケットＳ５を再生する。
【００５９】
そして誤り訂正部６は、ＯＦＤＭ同期確立前にＴＳ再生部５から信号Ｓ５が出力されると、その信号Ｓ５のＯＦＭＤシンボルヘッダ毎に同期を取りその同期に基づきデランダマイザの初期化を行いつつ、その信号Ｓ５に対してＴＳパケット毎に誤り訂正処理を行う。そして誤り訂正部６は、図５の様に、その誤り訂正処理の結果（誤りの有無）６Ａをデインタリーブ部４に出力すると共に、その誤り訂正処理の結果、誤りが無ければ、誤り無しのＴＳパケットＳ６を出力する。
【００６０】
そしてデインタリーブ部４は、誤り訂正部６からの誤り訂正処理の結果６Ａに基づき、その出力した信号Ｓ４のＯＦＤＭフレームヘッダの位置を特定する。即ちデインタリーブ部４は、その出力したＯＦＤＭシンボルに対応する誤り訂正処理の結果６Ａが誤り無しの場合は、その出力したＯＦＤＭシンボルのヘッダをＯＦＤＭフレームヘッダと特定する（即ち、その出力した当該ＯＦＤＭシンボルを基準として１ＯＦＤＭフレーム間隔毎のＯＦＤＭシンボルのヘッダをＯＦＤＭフレームヘッダと特定する）。
【００６１】
そしてデインタリーブ部４は、その出力した信号Ｓ４のＯＦＤＭフレームヘッダの位置を特定すると、そのデインタリーブ処理した信号Ｓ４におけるその特定したＯＦＤＭフレームヘッダの位置（即ち上記の出力した当該ＯＦＤＭシンボルを基準として１ＯＦＤＭフレーム間隔毎のＯＦＤＭシンボルのヘッダの位置）にＯＦＤＭフレームのヘッダである旨の情報（以後、ＯＦＤＭフレームヘッダ情報と呼ぶ）を付加して、信号Ｓ４をＴＳ再生部５に出力する。
【００６２】
他方、デインタリーブ部４は、その出力したＯＦＤＭシンボルに対応する誤り訂正処理の結果６Ａが誤り有りの場合は、その出力した当該ＯＦＤＭシンボルのヘッダをＯＦＤＭフレームヘッダではないと判定する。
【００６３】
そしてＴＳ再生部５は、デインタリーブ部４からの信号Ｓ４に対して上記のＯＦＤＭフレームヘッダ情報の検出を行い、信号Ｓ４から上記のＯＦＤＭフレームヘッダ情報が検出されるまでは、前述の様に、その信号Ｓ４のＯＦＭＤシンボルヘッダ毎に同期を取りその同期に基づきＴＳパケットの再生の初期化を行い、信号Ｓ４から上記のＯＦＤＭフレームヘッダ情報を検出すると、以後は、そのＯＦＤＭフレームヘッダ情報を検出した位置だけで同期を取りその同期に基づきＴＳパケットの再生の初期化を行い、前述同様、その信号Ｓ４からＴＳパケットＳ５を再生する。
【００６４】
そしてＴＳ再生部５は、上記のＯＦＤＭフレームヘッダ情報を検出すると、信号Ｓ５を出力する際、その信号Ｓ５のＯＦＤＭフレームヘッダの位置にＯＦＤＭフレームヘッダ情報を付加して出力する。
【００６５】
そして誤り訂正部６は、ＴＳ再生部５からの信号Ｓ５に対して上記のＯＦＤＭフレームヘッダ情報の検出を行い、信号Ｓ５から上記のＯＦＤＭフレームヘッダ情報が検出されるまでは、前述の様に、その信号Ｓ５のＯＦＭＤシンボルヘッダ毎に同期を取りその同期に基づきデランダマイザの初期化を行い、信号Ｓ５から上記のＯＦＤＭフレームヘッダ情報を検出すると、以後は、そのＯＦＤＭフレームヘッダ情報を検出した位置だけで同期を取りその同期に基づきデランダマイザの初期化を行う。そして、前述同様、その信号Ｓ５に対してＴＳパケット毎に誤り訂正処理を行って、その処理の結果６Ａをデインタリーブ部４に出力する。
【００６６】
尚、同期確立部７でＯＦＤＭフレーム同期が確立した後は、ＴＳ再生部５および誤り訂正部６を、同期確立部７からのフレーム同期信号に基づき同期を取らせて、それぞれＴＳ再生処理および誤り訂正処理を行わせてもよい。
【００６７】
この実施の形態では、ＯＦＤＭフレームの同期確立前にＴＳ再生部４でのＴＳ再生が開始されるので、図６の様に、同期確立部７でのフレーム同期信号の検出開始から誤り訂正部６での誤り無しのＴＳの出力開始までの期間は、実施の形態１の場合よりも短縮され、最短では１ＯＦＤＭフレーム掛からず、最長でも２ＯＦＤＭフレーム掛からない。
【００６８】
以上の様に構成されたデジタル放送受信装置１０Ｂによれば、ＴＳ再生部５は、デインタリーブ部４からの信号Ｓ４に対し、その信号Ｓ４のＯＦＤＭシンボルヘッダ毎に同期を取りその同期に基づきＴＳ再生を行い、誤り訂正部６は、ＴＳ再生部５からのＴＳパケットＳ５に対し、そのＴＳパケットＳ５のＯＦＤＭシンボルヘッダ毎に同期を取りその同期に基づき誤り訂正処理を行う。そしてデインタリーブ部４は、誤り訂正部６の誤り訂正処理の結果６Ａに基づき、その出力した信号Ｓ４のＯＦＤＭフレームヘッダの位置を特定する。そしてデインタリーブ部４がＯＦＤＭフレームヘッダの位置を特定すると、ＴＳ再生部５は、ＯＦＤＭシンボルヘッダ毎の同期からその特定されたＯＦＤＭフレームヘッダ毎の同期に変更し、その変更した同期に基づきＴＳ再生を行い、誤り訂正部６も、ＯＦＤＭシンボルヘッダ毎の同期からその特定されたＯＦＤＭフレームヘッダ毎の同期に変更し、その変更した同期に基づき誤り訂正処理を行う。故に、同期確立部７からの同期信号を使用しなくても（従って、同期確立部７によるＯＦＤＭフレーム同期確立前から）ＴＳ再生部５のＴＳ再生処理および誤り訂正部６の誤り訂正処理を行う事ができ、これにより放送チャンネルの変更時から映像音声の出力開始までの時間を従来の場合よりも一層短縮できる。
【００６９】
またデインタリーブ部４は、その出力した信号Ｓ４のＯＦＤＭフレームヘッダの位置を特定すると、そのデインタリーブ処理した信号Ｓ４におけるその特定したＯＦＤＭフレームヘッダの位置にＯＦＤＭフレームヘッダ情報を付加してその処理後の信号Ｓ４を出力し、ＴＳ再生部５は、デインタリーブ部４からの信号Ｓ４に対してＯＦＤＭフレームヘッダ情報の検出を行い、そのＯＦＤＭフレームヘッダ情報を検出した位置で同期を取るので、ＴＳ再生部５に適切にＯＦＤＭフレーム同期を取らせる事ができる。
【００７０】
またＴＳ再生部５は、その再生したＴＳパケットＳ５におけるデインタリーブ部４が特定したＯＦＤＭフレームヘッダの位置にＯＦＤＭフレームヘッダ情報を付加して、その再生したＴＳパケットＳ５を出力し、誤り訂正部６は、ＴＳ再生部５からのＴＳパケットに対してＯＦＤＭフレームヘッダ情報の検出を行い、そのＯＦＤＭフレームヘッダ情報を検出した位置で同期を取るので、誤り訂正部６に適切にＯＦＤＭフレーム同期を取らせる事ができる。
【図面の簡単な説明】
【００７１】
【図１】実施の形態１に係るデジタル放送受信装置１０の構成概略図である。
【図２】送信信号の構成の一例を説明する図である。
【図３】実施の形態１の場合における、同期確立部７でのフレーム同期の検出開始から、誤り訂正部６から誤り無しのＴＳパケットが出力されるまでの時間を説明する図である。
【図４】従来の場合における、同期確立部でのフレーム同期の検出開始から、誤り訂正部から誤り無しのＴＳパケットが出力されるまでの時間を説明する図である。
【図５】実施の形態２に係るデジタル放送受信装置１０Ｂの構成概略図である。
【図６】実施の形態２の場合における、同期確立部７でのフレーム同期の検出開始から、誤り訂正部６から誤り無しＴＳパケットが出力されるまでの時間を説明する図である。
【符号の説明】
【００７２】
１  ＦＦＴ部、２  パイロット検出部、３  復調部、４  デインタリーブ部、５  ＴＳ再生部、６  誤り訂正部、６Ａ  誤り訂正処理の結果の情報、７  同期確立部、８  ＴＭＣＣ復号部、９  ＴＭＣＣ初期部、１０，１０Ｂ  デジタル放送受信装置、Ｓ１  受信信号、Ｓ２  ＦＦＴ部で処理された信号、Ｓ３  復調部で処理された信号、Ｓ４  デインタリーブ部４で処理された信号、Ｓ５  ＴＳ再生部５で再生されたＴＳパケット、Ｓ６  誤り無しのＴＳパケット、Ｔ１  パイロット信号の位置の情報、Ｕ１  ＴＭＣＣ初期部で保存されていたＴＭＣＣ情報、Ｕ２  ＴＭＣＣ情報、Ｖ１  フレーム同期信号、Ｖ２  フレーム同期確立信号。
【図１】
0004693858.tif 000002
【図２】
0004693858.tif 000003
【図３】
0004693858.tif 000004
【図４】
0004693858.tif 000005
【図５】
0004693858.tif 000006
【図６】
0004693858.tif 000007